(57)【要約】【課題】ケーブルの布設作業時にケーブルの仮置きが可能であることは勿論、ケーブルの支持作業は個人差をなくして容易迅速にできるようにする【解決手段】表面形状が短冊状であり、その上下両端部がアンカーボルトへの固定用耳部２，３に形成されている支持金具１に受け皿４が多段的に取り付けられているトンネル用ケーブル支持具において、支持金具１は固定用耳部２，３を除いてコの字状断面形を呈し、受け皿４は弾性板により形成されて中央部分４ａがケーブルを抱持できるように湾曲し、その一側に連なる固定片４ｂは支持金具１に添接して固定されていると共に、他側に連なる締結片４ｃは固定片４ｂの固定部５を通して支持金具１に螺着可能である【選択図】　図２
2004140984.tif 000002
【特許請求の範囲】
【請求項１】
表面形状が短冊状であり、その上下両端部がアンカーボルトへの固定用耳部に形成されている支持金具に受け皿が多段的に取り付けられているトンネル用ケーブル支持具において、支持金具は固定用耳部を除いてコの字状断面形を呈し、一方、受け皿は弾性板により形成されて中央部分がケーブルを抱持できるように湾曲し、その一側に連なる固定片は支持金具に添接して固定されていると共に、他側に連なる締結片は上記固定片の固定部を通して該支持金具に螺着可能であることを特徴とするトンネル用ケーブル支持具。
【請求項２】
固定部は受け皿の固定片から支持金具側に貫通して設けられている雌ねじであり、この雌ねじに螺合できる雄ねじが受け皿の締結片に設けられていることを特徴とする請求項１記載のトンネル用ケーブル支持具。
【請求項３】
支持金具の左右袖部は固定用耳部とは段落状態に形成されていることを特徴とする請求項１又は２記載のトンネル用ケーブル支持具。
【発明の詳細な説明】
【０００１】
【発明の属する技術分野】
本発明は、電力や通信ケーブルをトンネル内に布設する時に用いる、トンネル用ケーブル支持具に関する。
【０００２】
【従来の技術】
トンネル側壁に縦添え状態にして取り付けられる金属製の支持金具と、この支持金具に多段的に取り付けられる複数個の受け皿により構成されているトンネル用ケーブル支持具が従来より用いられている。このトンネル用ケーブル支持具の支持金具は表面形状が短冊状であって、上下両端部に設けられているアンカーボルトへの固定用耳部を除いて左右両縁部が内向きのコの字状断面形に形成されている。
【０００３】
一方、受け皿には上記支持金具の左右両縁部に嵌め込み可能に形成されている背板部に半円筒状のケーブル受け部が連設され、該ケーブル受け部上にケーブルを受け止めて、ケーブルを被覆線により縛着して支持できる仕組みになっている。なお、支持金具はトンネル側壁に大体１５００〜２０００ｍｍ間隔で取り付けられているのが一般である。
【０００４】
【発明が解決しようとする課題】
上記周知のトンネル用ケーブル支持具は、受け皿が支持金具に上方より順次落とし込むようにして装着され、支持金具と受け皿とは工場等での事前組立て乃至は現場組立てに関係なくケーブルを支持できるという使用上の利点を有しているが、ケーブル受け部上にケーブルを縛着により固定するため、固定作業に個人差の生じることは避けられず、時間もかかって作業性の面での改善が望まれていた。また、新幹線トンネル内では列車走行時の風圧等により受け皿同士ががたつき合い、ケーブルの安定支持面で影響を及ぼすという問題もあった。
【０００５】
そこで、本発明の目的はかかる作業性とか安定性の問題を解消すると同時に、ケーブルの布設作業時にケーブルの仮置きが可能であるという利便性を損なわないように改良したトンネル用ケーブル支持具を提供することにある。
【０００６】
【課題を解決するための手段】
上記目的を達成するために、本発明の特徴とするトンネル用ケーブル支持具は、表面形状が短冊状であり、その上下両端部がアンカーボルトへの固定用耳部に形成されている支持金具に受け皿が多段的に取り付けられているトンネル用ケーブル支持具において、支持金具は固定用耳部を除いてコの字状断面形を呈し、一方、受け皿は弾性板により形成されて中央部分がケーブルを抱持できるように湾曲し、その一側に連なる固定片は支持金具に添接して固定されていると共に、他側に連なる締結片は上記固定片の固定部を通して該支持金具に螺着可能に構成されている。
【０００７】
この構成において、固定部は受け皿の固定片から支持金具側に貫通して設けられている雌ねじであって、いわゆる２個の部材を接合して固定すると同時に両部材間にナット（ブラインドナットと呼ばれている）を構成できるように実施するのが好ましく、また、上記雌ねじに螺合できる雄ねじが受け皿の締結片側に設けられており、この雄ねじはボルトを用いる。そして、支持金具の左右袖部は固定用耳部に対し段落状態に形成して、支持金具をトンネルの側壁に固定用耳部で固定する際に該側壁に生じている凹凸に対応できるようにするのが望ましい。
【０００８】
【作用】
ケーブルを布設するトンネルの側壁面に打ち込まれているアンカーボルトに支持金具の固定用耳部を装着してナットにより固定すれば、各各の受け皿の中央部分でケーブルを仮置きできる布設作業上の利便があることは勿論、ケーブルの抱持位置の決定次第、締結片を固定片側に向かって押し付けるようにして、雄ねじ（ボルト）を電動工具により雌ねじに容易迅速に螺合し、ケーブルをしっかりと固定支持できる。また、受け皿は固定具を兼ねた雌ねじにより支持金具に固定されているので、その取り付けは状態は安定している。
【０００９】
【発明の実施の形態】
以下に、本発明の実施の形態を図面を参照しながら説明する。１は金属板製の支持金具で、その上下両端部はトンネルの側壁に打ち込まれたアンカーボルト（図示せず）への固定用耳部２，３に形成されており、２ａ，３ａはアンカーボルトへの相通穴である。支持金具１は、固定用耳部２，３を除いて表面形状が短冊状であって、コの字状断面形を呈し、その左右袖部１ａ，１ａは固定用耳部２，３とは段落状態に形成されている。
【００１０】
一方、支持金具１上に多段的に取り付けられる複数個（図示の場合は３個）の受け皿４は金属の弾性板により形成され、中央部分４ａはケブルを抱持できるように湾曲しており、その一側に連なる固定片４ｂ側は支持金具１に添接して固定部５として機能している鳩目金具様の固定子を兼ねている雌ねじを用いて該支持金具１上に固定されていると共に、他側に連なる締結片４ｃ側は固定片４ｂを挟んで支持金具１に螺着可能とされ、締結片４ｃには固定部（雌ねじ）５に螺合できる雄ねじ（図示の場合はボルト）６が装着されており、７は締結片４ｃに設けた雄ねじ６の挿通穴である。
【００１１】
なお、受け皿４には、ケーブルの保護や滑り止めとして少なくとも中央部分４ａに塩化ビニル等の被覆８が施されている。図２はケーブルｃを一部の受け皿４に受け止めて締結した状態を示しているが、締結前の受け皿４の締結片４ｃは弾性作用により同図に示すように外方へ向かって開いており、ケーブルｃの仮置きに支障を与えないように考慮されている。図中、９は雄ねじ６の脱落防止用のプッシュナットである。
【図面の簡単な説明】
【図１】一部にケーブルを支持している本発明の実施の形態を示す正面図である。
【図２】図１に示すものの側面図である。
【図３】図１のＡ−Ａ線端面図である。
【符号の説明】
１は支持金具
１ａは左右袖部
２，３は固定用耳部
４は受け皿
４ａは中央部分
４ｂは固定片
４ｃは締結片
５は固定部（雌ねじ）
６は雄ねじ
ｃはケーブル
【図１】
2004140984.tif 000003
【図２】
2004140984.tif 000004
【図３】
2004140984.tif 000005